(57)【要約】基地局で周辺セルの情報を取得する際、移動端末が、基地局からの指示に基づいて周辺セル情報を測定し、周辺セル情報の中から検出した未知のセルのセル情報のみを選択して基地局に通知することができるようにするため、基地局と移動端末とを備えた無線通信システムであって、基地局は、基地局周辺に位置する周辺セルのセル品質情報及びセル識別情報を含むセル情報を取得するセル情報取得手段と、既知セル情報と既知セル情報に対応したセル情報を有しない未知セルのセル情報の取得指示とを移動端末に送信する送信手段と、を有することを特徴とする。
2013021833.tif 000002
【特許請求の範囲】
【請求項１】
基地局周辺に位置する周辺セルのセル品質情報及びセル識別情報を含むセル情報を取得するセル情報取得手段と、
既知セル情報と前記既知セル情報に対応した前記セル情報を有しない未知セルの前記セル情報の取得指示とを移動端末に送信する送信手段と、
を有することを特徴とする基地局。
【請求項２】
基地局から送信された既知セル情報と未知セルの未知セル情報の取得指示とを受信する受信手段と、
前記取得指示に基づいて移動端末周辺に位置する周辺セルを測定し、前記周辺セルのセル情報を取得するセル測定手段と、
取得された前記移動端末周辺に位置する前記周辺セルの前記セル情報と前記受信手段により受信された前記既知セル情報とを比較して、前記既知セル情報に対応した前記セル情報を有しない前記周辺セルを前記未知セルとして検出する未知セル検出手段と、
前記未知セル検出手段により検出された前記未知セルの前記セル情報を前記基地局に送信する未知セル情報送信手段と、
を有することを特徴とする移動端末。
【請求項３】
請求項１に記載の基地局と、請求項２に記載の移動端末とを備えることを特徴とする無線通信システム。
【請求項４】
前記送信手段は、あらかじめ定めたタイミングで前記未知セル情報の取得を指示することを特徴とする請求項３に記載の無線通信システム。
【請求項５】
前記移動端末は、さらに、前記未知セル検出手段により取得された前記未知セル情報を記憶する記憶手段を含むことを特徴とする請求項３又は４のいずれか１項に記載の無線通信システム。
【請求項６】
基地局と移動端末とを備えた無線通信システムにおける基地局制御方法であって、
前記基地局周辺に位置する周辺セルのセル品質情報及びセル識別情報を含むセル情報を取得するセル情報取得ステップと、
前記セル情報取得ステップにより前記セル情報を取得された既知セルの既知セル情報と前記既知セル情報に対応した前記セル情報を有しない未知セルの前記セル情報の取得指示とを前記移動端末に送信する送信ステップと、
を含むことを特徴とする基地局制御方法。
【請求項７】
基地局と移動端末とを備えた無線通信システムにおける移動端末制御方法であって、
前記基地局から送信された既知セル情報と未知セルの未知セル情報の取得指示とを受信する受信ステップと、
前記取得指示に基づいて移動端末周辺に位置する周辺セルを測定し、前記周辺セルのセル情報を取得するセル測定ステップと、
取得された前記移動端末周辺に位置する前記周辺セルの前記セル情報と前記受信ステップにより受信された前記既知セル情報とを比較して、前記既知セル情報に対応した前記セル情報を有しない前記周辺セルを前記未知セルとして検出する未知セル検出ステップと、
検出された前記未知セルの前記セル情報を前記基地局に送信する未知セル情報送信ステップと、
を含むことを特徴とする移動端末制御方法。
【請求項８】
請求項６に記載の基地局制御方法と、請求項７に記載の移動端末制御方法とを備えることを特徴とする無線通信方法。
【請求項９】
基地局と移動端末とを備えた無線通信システムにおける基地局の制御プログラムであって、
前記基地局周辺に位置する周辺セルのセル品質情報及びセル識別情報を含むセル情報を取得するセル情報取得ステップと、
前記セル情報取得ステップにより前記セル情報を取得された既知セルの既知セル情報と前記既知セル情報に対応した前記セル情報を有しない未知セルの前記セル情報の取得指示とを前記移動端末に送信する送信ステップと、
をコンピュータに実行させることを特徴とする制御プログラム。
【請求項１０】
基地局と移動端末とを備えた無線通信システムにおける移動端末の制御プログラムであって、
前記基地局から送信された既知セル情報と未知セルの未知セル情報の取得指示とを受信する受信ステップと、
前記取得指示に基づいて移動端末周辺に位置する周辺セルを測定し、前記周辺セルのセル情報を取得するセル測定ステップと、
取得された前記移動端末周辺に位置する前記周辺セルの前記セル情報と前記受信ステップにより受信された前記既知セル情報とを比較して、前記既知セル情報に対応した前記セル情報を有しない前記周辺セルを前記未知セルとして検出する未知セル検出ステップと、
検出された前記未知セルの前記セル情報を前記基地局に送信する未知セル情報送信ステップと、
をコンピュータに実行させることを特徴とする制御プログラム。
【発明の詳細な説明】
【技術分野】
【０００１】
本発明は、無線通信技術に関する。
【背景技術】
【０００２】
上記技術分野において、特許文献１に示されているように、基地局から移動機に対して近隣セル探索の指示を出し、基地局は移動機からの探索結果に基づいて保持する隣接セルリストを更新する技術が知られている。
【先行技術文献】
【特許文献】
【０００３】
【特許文献１】特開２００８−２１９６４５号公報
【発明の開示】
【発明が解決しようとする課題】
【０００４】
しかしながら、特許文献１記載の技術では、移動機から基地局に通知される探索結果は、移動機において通信可能な近隣セルを探索したものに過ぎない。そのため、基地局は、未知セルかどうかによらず近隣セルの情報を端末から取得することになり、取得する必要のない既知セルの情報も取得するという不都合があった。
本発明の目的は、上述の課題を解決する技術を提供することにある。
【課題を解決するための手段】
【０００５】
上記目的を達成するため、本発明に係る基地局は、基地局周辺に位置する周辺セルのセル品質情報及びセル識別情報を含むセル情報を取得するセル情報取得手段と、前記セル情報取得手段により前記セル情報を取得された既知セルの既知セル情報を記憶する周辺セル情報記憶手段と、前記既知セル情報と前記既知セル情報に対応した前記セル情報を有しない未知セルの前記セル情報の取得指示とを前記移動端末に送信する送信手段と、を有することを特徴とする。
上記目的を達成するため、本発明に係る移動端末は、基地局から送信された既知セル情報と未知セルの未知セル情報の取得指示とを受信する受信手段と、前記取得指示に基づいて移動端末周辺に位置する周辺セルを測定し、前記周辺セルのセル情報を取得するセル測定手段と、取得された前記移動端末周辺に位置する前記周辺セルの前記セル情報と前記受信手段により受信された前記既知セル情報とを比較して、前記既知セル情報に対応した前記セル情報を有しない前記周辺セルを前記未知セルとして検出する未知セル検出手段と、前記未知セル検出手段により検出された前記未知セルの前記セル情報を前記基地局に送信する未知セル情報送信手段と、を有することを特徴とする。
上記目的を達成するため、本発明に係る基地局と移動端末とを備えた無線通信システムにおける基地局制御方法は、前記基地局周辺に位置する周辺セルのセル品質情報及びセル識別情報を含むセル情報を取得するセル情報取得ステップと、前記セル情報取得ステップにより前記セル情報を取得された既知セルの既知セル情報と前記既知セル情報に対応した前記セル情報を有しない未知セルの前記セル情報の取得指示とを前記移動端末に送信する送信ステップと、を含むことを特徴とする。
上記目的を達成するため、本発明に係る基地局と移動端末とを備えた無線通信システムにおける移動端末制御方法は、前記基地局から送信された既知セル情報と未知セルの未知セル情報の取得指示とを受信する受信ステップと、前記取得指示に基づいて移動端末周辺に位置する周辺セルを測定し、前記周辺セルのセル情報を取得するセル測定ステップと、取得された前記移動端末周辺に位置する前記周辺セルの前記セル情報と前記受信ステップにより受信された前記既知セル情報とを比較して、前記既知セル情報に対応した前記セル情報を有しない前記周辺セルを前記未知セルとして検出する未知セル検出ステップと、検出された前記未知セルの前記セル情報を前記基地局に送信する未知セル情報送信ステップと、を含むことを特徴とする。
上記目的を達成するため、本発明に係る基地局と移動端末とを備えた無線通信システムにおける基地局の制御プログラムは、前記基地局周辺に位置する周辺セルのセル品質情報及びセル識別情報を含むセル情報を取得するセル情報取得ステップと、前記セル情報取得ステップにより前記セル情報を取得された既知セルの既知セル情報と前記既知セル情報に対応した前記セル情報を有しない未知セルの前記セル情報の取得指示とを前記移動端末に送信する送信ステップと、をコンピュータに実行させることを特徴とする。
上記目的を達成するため、本発明に係る基地局と移動端末とを備えた無線通信システムにおける移動端末の制御プログラムは、前記基地局から送信された既知セル情報と未知セルの未知セル情報の取得指示とを受信する受信ステップと、前記取得指示に基づいて移動端末周辺に位置する周辺セルを測定し、前記周辺セルのセル情報を取得するセル測定ステップと、取得された前記移動端末周辺に位置する前記周辺セルの前記セル情報と前記受信ステップにより受信された前記既知セル情報とを比較して、前記既知セル情報に対応した前記セル情報を有しない前記周辺セルを前記未知セルとして検出する未知セル検出ステップと、検出された前記未知セルの前記セル情報を前記基地局に送信する未知セル情報送信ステップと、をコンピュータに実行させることを特徴とする。
【発明の効果】
【０００６】
本発明によれば、移動端末（ＵＥ：Ｕｓｅｒ  Ｅｑｕｉｐｍｅｎｔ）は、基地局からの指示に基づいて周辺セル情報を測定し、周辺セル情報の中から検出した未知のセルのセル情報のみを選択して基地局に通知することができる。
【図面の簡単な説明】
【０００７】
【図１】本発明の第１実施形態に係る無線通信システムの構成を示すブロック図である。
【図２】本発明の第２実施形態に係る無線通信システムの構成を示すブロック図である。
【図３】本発明の第２実施形態に係る無線通信システムの構成を示す図である。
【図４】本発明の第２実施形態における基地局の既知セルリストを示す図である。
【図５】本発明の第２実施形態における移動端末の周辺セル測定結果を示す図である。
【図６】本発明の第２実施形態における移動端末の既知セルリストを示す図である。
【図７】本発明の第２実施形態における移動端末のハードウェア構成を示す図である。
【図８】本発明の第２実施形態における無線通信システムの処理手順を示すシーケンス図である。
【図９】本発明の第２実施形態における無線通信システムの処理手順を示すフローチャートである。
【図１０】本発明の第３実施形態における無線通信システムの処理手順を示すシーケンス図である。
【図１１】本発明の第３実施形態における無線通信システムの処理手順を示すフローチャートである。
【発明を実施するための最良の形態】
【０００８】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
［第１実施形態］
本発明の第１実施形態としての無線通信システム１００について、図１を用いて説明する。無線通信システム１００は、移動端末から基地局にセル情報を通知することを実現するためのシステムである。
図１に示すように、無線通信システム１００は、基地局１１０と、移動端末１２０とを含む。基地局１１０は、セル情報取得部１１１と、周辺セル情報記憶部１１２と、送信部１１３とを有する。
移動端末１２０は、受信部１２１と、セル測定部１２２と、未知セル検出部１２３と、未知セル情報送信部１２４とを有する。
基地局１１０において、セル情報取得部１１１は、基地局１１０周辺に位置する周辺セルのセル品質情報及びセル識別情報を含むセル情報を取得する。周辺セル情報記憶部１１２は、セル情報取得部１１１によりセル情報を取得された既知セルの既知セル情報を記憶する。送信部１１３は、既知セル情報と既知セル情報に対応したセル情報を有しない未知セルのセル品質情報を含む未知セル情報の取得指示とを移動端末１２０に送信する。
次に、移動端末１２０において、受信部１２１は、既知セル情報と未知セル情報の取得指示とを受信する。セル測定部１２２は、取得指示に基づいて移動端末１２０周辺に位置する周辺セルを測定し、周辺セルのセル情報を取得する。未知セル検出部１２３は、取得された移動端末１２０周辺に位置する周辺セルのセル情報と受信部１２１により受信された既知セル情報とを比較して、既知セル情報に対応したセル情報を有しない周辺セルを未知セルとして検出する。未知セル情報送信部１２４は、未知セル検出部１２３により検出された未知セルのセル情報を基地局１１０に送信する。
以上の構成及び動作により、本実施形態によれば、移動端末は、基地局からの指示に基づいて周辺セル情報を測定し、周辺セル情報の中から検出した未知のセルのセル情報のみを基地局に通知することができる。
［第２実施形態］
次に本発明の第２実施形態に係る無線通信システム２００について、図２を用いて説明する。図２は、本実施形態に係る無線通信システム２００の構成を説明するためのブロック図である。
図２に示されているように、無線通信システム２００の構成は、基地局２１０と、移動端末２２０とを含む。基地局２１０は、セル情報取得部２１１と、周辺セル情報記憶部２１２と、送信部２１３とを有する。周辺セル情報記憶部２１２は、既知セルリスト２５１と、未知セルリスト２５３とを格納する。移動端末２２０は、受信部２２１と、セル測定部２２２と、未知セル検出部２２３と、未知セル情報送信部２２４とを有する。未知セル情報送信部２２４は、未知セル情報２５２を基地局２１０に送信する。
基地局２１０において、まず、セル情報取得部２１１は、あらかじめ基地局２１０周辺に位置する周辺セルのセル識別情報を含む周辺セル情報２５０を取得する。周辺セル情報記憶部２１２は、セル情報取得部２１１により取得された周辺セルであってセル情報を取得している既知セルの既知セル情報を基に既知セルリスト２５１を生成する。送信部２１３は、周辺セル情報記憶部２１２から受け取った既知セルリスト２５１を移動端末２２０に送信する。また、送信部２１３は、基地局２１０の周辺セルのうち、周辺セル情報記憶部２１２に記憶されている既知セル情報に対応したセル情報を有しない未知セルのセル品質情報及びセル識別情報を含む未知セル情報の取得指示を、移動端末２２０に送信する。
移動端末２２０において、まず、受信部２２１は、送信部２１３から送信された既知セルリスト２５１とセル情報の取得指示とを受信する。セル測定部２２２は、受信したセル情報の取得指示に基づいて移動端末２２０の周辺に位置するセルを測定し、周辺セルのセル情報（セル識別情報（ＰＣＩ：Ｐｈｙｓｉｃａｌ  Ｃｅｌｌ  Ｉｄｅｎｔｉｔｙ，他）およびセル品質情報）を取得する。未知セル検出部２２３は、セル測定部２２２により取得された周辺セルのセル情報と受信部２２１により受信された既知セルリスト２５１のセル情報とを比較する。そして、比較した結果、未知セル検出部２２３は、既知セル情報に対応したセル情報を有しない周辺セルを未知セルとして検出する。なお、未知セルのセル識別情報は、未知セルから報知されている報知情報からセル測定部２２２により、さらに、ＥＣＧＩ（Ｅｖｏｌｖｅｄ  Ｃｅｌｌ  Ｇｌｏｂａｌ  Ｉｄｅｎｔｉｆｉｅｒ）や、ＴＡＣ（Ｔｒａｃｋｉｎｇ  Ａｒｅａ  Ｃｏｄｅ）が取得される。
未知セル情報送信部２２４は、セル測定部２２２により取得された未知セルのセル識別情報及びセル品質情報を含む未知セル情報２５２を、基地局２１０に送信する。基地局２１０のセル情報取得部２１１は未知セル情報２５２を取得すると、周辺セル情報記憶部２１２に通知する。周辺セル情報記憶部２１２は、未知セル情報２５２を受け付けると、未知セルリスト２５３を生成する。
図３は、本実施形態に係る無線通信システム２００の構成を示す図である。図３に示すように、本実施形態における無線通信システム２００は、基地局（ｅＮＢ＃１）２１０ａと、基地局（ｅＮＢ＃２）２１０ｂと、移動端末（ＵＥ）２２０とを有する。
基地局２１０ａは、基地局２１０ａ周辺に位置する既知セル２１０ａ−１〜２１０ａ−３のセル情報と、既知セル２１０ｂ−１及び２１０ｂ−２のセル情報とを周辺セル情報２５０としてセル情報取得部２１１において取得する。なお、基地局２１０ｂは、基地局２１０ａと同様に、基地局２１０ｂ周辺の既知セル２１０ｂ−１〜２１０ｂ−３のセル情報と、既知セル２１０ａ−１〜２１０ａ−３のセル情報とを周辺セル情報２５０としてセル情報取得部２１１において取得する。
基地局２１０ａは、移動端末２２０との呼が確立されたタイミングで、送信部２１３から移動端末２２０に対して、移動端末２２０の周辺セルについてのセル情報の取得指示を送信する。この際、基地局２１０ａは、移動端末２２０に既知セルリスト２５１も送信する。
移動端末２２０は、本例において、既知セル２１０ａ−２に位置しており、矢印２６０の方向に移動する。移動端末２２０の移動先の周辺セル２１０ｂ−３は、基地局２１０ａから送信された既知セルリスト２５１に、対応したセル情報が記憶されていない（図４の４０２参照）。そのため、周辺セル２１０ｂ−３は、基地局２１０ａ及び移動端末２２０からは既知セルとして認識されていない。
移動端末２２０のセル測定部２２２は、移動端末２２０ａ周辺に位置する周辺セルを測定する。本例においては、セル測定部２２２は、周辺セル２１０ａ−１〜２１０ａ−３と、２１０ｂ−１と、２１０ｂ−３とを測定したものとする（図４参照）。未知セル検出部２２３は、セル測定部２２２において取得されたこれら周辺セルのセル情報と、既知セルリスト２５１にリストアップされた既知セルのセル情報とを比較する。そして、既知セルリスト２５１には周辺セル２１０ｂ−３はリストアップされていないことから、未知セル検出部２２３は、周辺セル２１０ｂ−３を未知セルとして検出する。
未知セル情報送信部２２４は、未知セル検出部２２３が取得した未知セル２１０ｂ−３の未知セル情報を、基地局２１０ａへのＭｅａｓｕｒｅｍｅｎｔ  Ｒｅｐｏｒｔに設定して送信する。Ｍｅａｓｕｒｅｍｅｎｔ  Ｒｅｐｏｒｔは、周辺セルの測定結果などを報告するためのメッセージである。
（Ｍｅａｓｕｒｅｍｅｎｔ  Ｒｅｐｏｒｔの送信条件）
ここで、移動端末２２０から移動局２１０ａにＭｅａｓｕｒｅｍｅｎｔ  Ｒｅｐｏｒｔを送信する条件は、３ＧＰＰ標準（ＴＳ３６．３３１）の５．５．４  Ｍｅａｓｕｒｅｍｅｎｔ  ｒｅｐｏｒｔ  ｔｒｉｇｇｅｒｉｎｇの章に記載された条件（ＥｖｅｎｔＡ１〜Ａ５，ＥｖｅｎｔＢ１，Ｂ２）にしたがって設定される。そして、その条件のもとに、未知セル情報が測定される。本例においては、一例として次の１又は２について記載する。
１．ｒｅｐｏｒｔＣｏｎｆｉｇＥＵＴＲＡのｔｒｉｇｇｅｒＴｙｐｅにてｅｖｅｎｔＡ３（Ｉｎｅｑｕａｌｉｔｙ  Ａ３−１（Ｅｎｔｅｒｉｎｇｃｏｎｄｉｔｉｏｎ））を使用する場合
移動端末２２０は、下記条件（＊１）を満たした場合に基地局２１０ａに対してＭｅａｓｕｒｅｍｅｎｔ  Ｒｅｐｏｒｔを送信する測定設定を行なうことができる。
＊１［周辺セルの測定結果（ＲＳＲＰ／ＲＳＲＱ）（Ｍｎ）＋該当周辺セルの周波数に対応するｍｅａｓＯｂｊｅｃｔＥＵＴＲＡにて指定したｏｆｆｓｅｔＦｒｅｑ（Ｏｆｎ）＋該当周辺セルの周波数に対応するｍｅａｓＯｂｊｅｃｔＥＵＴＲＡにて指定したｃｅｌｌＩｎｄｉｖｉｄｕａｌＯｆｆｓｅｔ（Ｏｃｎ）−該当ｅｖｅｎｔに対応するｒｅｐｏｒｔＣｏｎｆｉｇＥＵＴＲＡにて指定したｈｙｓｔｅｒｅｓｉ（Ｈｙｓ）］＞［接続中セルの測定結果（ＲＳＲＰ／ＲＳＲＱ）（Ｍｐ）＋接続中セルの周波数に対応するｍｅａｓＯｂｊｅｃｔＥＵＴＲＡにて指定したｏｆｆｓｅｔＦｒｅｑ（Ｏｆｐ）＋接続中セルの周波数に対応するｍｅａｓＯｂｊｅｃｔＥＵＴＲＡにて指定したｃｅｌｌＩｎｄｉｖｉｄｕａｌＯｆｆｓｅｔ（Ｏｃｐ）＋該当ｅｖｅｎｔに対応するｒｅｐｏｒｔＣｏｎｆｉｇＥＵＴＲＡにて指定したａ３−Ｏｆｆｓｅｔ（Ｏｆｆ）］
上記記号は、次の内容を表わす。
・Ｍｎは、どんなオフセットも考慮していない周辺セルの測定結果である。
・Ｏｆｎは、周辺セルの周波数の周波数個別のオフセットである。（すなわち、ｏｆｆｓｅｔＦｒｅｑは、周辺セルの周波数に対応するｍｅａｓＯｂｊｅｃｔＥＵＴＲＡの中で定義される。）
・Ｏｃｎは、周辺セルのセル個別のオフセットである。（すなわち、ｃｅｌｌＩｎｄｉｖｉｄｕａｌＯｆｆｓｅｔは、周辺セルの周波数に対応するｍｅａｓＯｂｊｅｃｔＥＵＴＲＡの中で定義される。）そして、Ｏｃｎは、周辺セル用に設定されない場合には、０に設定される。
・Ｍｐは、どんなオフセットも考慮していない接続中セルの測定結果である。
・Ｏｆｐは、周辺セルの周波数の周波数個別のオフセットである。（すなわち、ｏｆｆｓｅｔＦｒｅｑは、周辺セルの周波数に対応するｍｅａｓＯｂｊｅｃｔＥＵＴＲＡの中で定義される。）
・Ｏｃｐは、接続中セルのセル個別のオフセットである。（すなわち、ｃｅｌｌＩｎｄｉｖｉｄｕａｌＯｆｆｓｅｔは、接続中セルの周波数に対応するｍｅａｓＯｂｊｅｃｔＥＵＴＲＡの中で定義される。）そして、Ｏｃｎは、接続中セル用に設定されない場合には、０に設定される。
・Ｈｙｓは、このｅｖｅｎｔに対応するヒステリシスパラメータである。（すなわち、ヒステリシスは、このｅｖｅｎｔに対応するｒｅｐｏｒｔＣｏｎｆｉｇＥＵＴＲＡの中で定義される。）
・Ｏｆｆは、このｅｖｅｎｔに対応するオフセットパラメータである。（すなわち、ａ３−Ｏｆｆｓｅｔは、このｅｖｅｎｔに対応するｒｅｐｏｒｔＣｏｎｆｉｇＥＵＴＲＡの中で定義される。）
２．ｒｅｐｏｒｔＣｏｎｆｉｇＥＵＴＲＡのｔｒｉｇｇｅｒＴｙｐｅにてｅｖｅｎｔＡ５（Ｉｎｅｑｕａｌｉｔｙ  Ａ５−１（Ｅｎｔｅｒｉｎｇｃｏｎｄｉｔｉｏｎ  １））を使用する場合
移動端末２２０は、下記条件（＊２）を満たした場合に基地局２１０ａに対してＭｅａｓｕｒｅｍｅｎｔ  Ｒｅｐｏｒｔを送信する測定設定を行なうことができる。
＊２［接続中セルの測定結果（ＲＳＲＰ／ＲＳＲＱ）（Ｍｐ）＋該当ｅｖｅｎｔに対応するｒｅｐｏｒｔＣｏｎｆｉｇＥＵＴＲＡにて指定したｈｙｓｔｅｒｅｓｉｓ（Ｈｙｓ）］＜［該当ｅｖｅｎｔに対応するｒｅｐｏｒｔＣｏｎｆｉｇＥＵＴＲＡにて指定したａ５−Ｔｈｒｅｓｈｏｌｄ１（Ｔｈｒｅｓｈ１）］かつ［周辺セルの測定結果（ＲＳＲＰ／ＲＳＲＱ）（Ｍｎ）＋該当周辺セルの周波数に対応するｍｅａｓＯｂｊｅｃｔＥＵＴＲＡにて指定したｏｆｆｓｅｔＦｒｅｑ（Ｏｆｎ）＋該当周辺セルの周波数に対応するｍｅａｓＯｂｊｅｃｔＥＵＴＲＡにて指定したｃｅｌｌＩｎｄｉｖｉｄｕａｌＯｆｆｓｅｔ（Ｏｃｎ）−該当ｅｖｅｎｔに対応するｒｅｐｏｒｔＣｏｎｆｉｇＥＵＴＲＡにて指定したｈｙｓｔｅｒｅｓｉｓ（Ｈｙｓ）］＞［該当ｅｖｅｎｔに対応するｒｅｐｏｒｔＣｏｎｆｉｇＥＵＴＲＡにて指定したａ５−Ｔｈｒｅｓｈｏｌｄ２（Ｔｈｒｅｓｈ２）］
上記記号は、次の内容を表わす。
・Ｍｐは、どんなオフセットも考慮していない接続中セルの測定結果である。
・Ｍｎは、どんなオフセットも考慮していない周辺セルの測定結果である。
・Ｏｆｎは、周辺セルの周波数の周波数個別のオフセットである。（すなわち、ｏｆｆｓｅｔＦｒｅｑは、周辺セルの周波数に対応するｍｅａｓＯｂｊｅｃｔＥＵＴＲＡの中で定義される。）
・Ｏｃｎは、周辺セルのセル個別のオフセットである。（すなわち、ｃｅｌｌＩｎｄｉｖｉｄｕａｌＯｆｆｓｅｔは、周辺セルの周波数に対応するｍｅａｓＯｂｊｅｃｔＥＵＴＲＡの中で定義される。）そして、Ｏｃｎは、周辺セル用に設定されない場合には、０に設定される。
・Ｈｙｓは、このｅｖｅｎｔに対応するヒステリシスパラメータである。（すなわち、ヒステリシスは、このｅｖｅｎｔに対応するｒｅｐｏｒｔＣｏｎｆｉｇＥＵＴＲＡの中で定義される。）
・Ｔｈｒｅｓｈ１は、このｅｖｅｎｔに対応する閾値パラメーターである。（すなわち、ａ５−Ｔｈｒｅｓｈｏｌｄ１は、このｅｖｅｎｔに対応するｒｅｐｏｒｔＣｏｎｆｉｇＥＵＴＲＡの中で定義される。）
・Ｔｈｒｅｓｈ２は、このｅｖｅｎｔに対応する閾値パラメーターである。（すなわち、ａ５−Ｔｈｒｅｓｈｏｌｄ２は、このｅｖｅｎｔに対応するｒｅｐｏｒｔＣｏｎｆｉｇＥＵＴＲＡの中で定義される。）
なお、ｏｆｆｓｅｔＦｒｅｑやｈｙｓｔｅｒｅｓｉｓ、各ｏｆｆｓｅｔ／ｔｈｒｅｓｈｏｌｄはパラメータであって、基地局２１０（ｅＮＢ）において、規定の範囲であれば自由に設定可能である。
最後に、セル情報取得部２１１は、未知セル情報送信部２２４から送信された未知セル２１０ｂ−３の未知セル情報を取得すると、未知セル情報として周辺セル情報記憶部２１２に通知する。周辺セル情報記憶部２１２は、未知セル２１０ｂ−３の未知セル情報を含む未知セルリスト２５３を新たに生成する。
（基地局の既知セルリスト）
図４は、本実施形態における基地局２１０ａの既知セルリスト２５１を示す図である。図４に示すように、既知セルリスト２５１には、基地局２１０ａの周辺に位置するセルの情報が格納されており、基地局欄４０１と、セル欄４０２と、既知セル情報欄４０３とにより構成されている。
基地局欄４０１は、基地局２１０ａの周辺に位置する周辺セルを保持する各基地局を示す。本例においては、基地局２１０ａは、周辺セルのうちセル情報を取得した既知セルを保持する基地局として、基地局２１０ａと、基地局２１０ｂと、基地局２１０ｃ（図３には不図示）とについての情報を取得していることを示す。
セル欄４０２は、各基地局２１０ａ〜２１０ｃにおいて保持される各セルのうち、基地局２１０ａがセル情報を取得しているセルを示す。本例において、基地局２１０ａは、少なくともセル２１０ａ−１〜２１０ａ−３についてのセル情報を取得していることを示す。また、基地局２１０ａは、基地局２１０ｂについてセル２１０ｂ−１及び２１０ｂ−２についてのセル情報を取得していることを示す。
既知セル情報欄４０３は、基地局２１０ａのセル情報取得部２１１において取得した周辺セルのセル情報を示す。セル情報としては、ＥＣＧＩ（Ｅｖｏｌｖｅｄ  Ｃｅｌｌ  Ｇｌｏｂａｌ  Ｉｄｅｎｔｉｆｉｅｒ）や、ＴＡＣ（Ｔｒａｃｋｉｎｇ  Ａｒｅａ  Ｃｏｄｅ）などがあり、これら情報に限られるものではない。
（周辺セル測定結果）
図５は、本実施形態における移動端末２２０において測定した周辺セル測定結果５００を示す図である。
周辺セルの測定結果は、移動端末２２０のセル測定部２２２において測定した移動端末２２０の周辺に位置する周辺セルを示す。セル欄４０２は、測定した周辺セルの一覧であり、基地局欄４０１は、測定した周辺セルを保持する基地局の一覧である。セル欄４０２には、既知セルリスト２５１にリストアップされていないセル（未知セル）が測定されてリストアップされることもある。本例においてセル２１０ｂ−３は、既知セルリスト２５１（図４）にリストアップされている既知セル情報に対応するセル情報を有しないセルであり、移動端末２２０の未知セル検出部２２３により、未知セルとして検出される。
なお、未知セルが生じる状況として、たとえば次の場合が想定される。基地局へのセル情報の設定が手動で行われた場合において、入力漏れがあった場合である。また、３ＧＰＰ標準  ＴＳ３６．３００（Ｖ１０．１．０）に記載のあるＰＣＩに関してのＳｅｌｆ  Ｃｏｎｆｉｇｕｒａｔｉｏｎ機能（Ａｕｔｏｍａｔｉｃ  Ｎｅｉｇｈｂｏｕｒ  Ｒｅｌａｔｉｏｎ  Ｆｕｎｃｔｉｏｎ等）が実装されているシステムにおいて、設定の自動更新がなされていない場合である。
（移動端末の既知セルリスト）
図６は、本実施形態における移動端末２２０の既知セルリスト６００を示す図である。図６に示すように、既知セルリスト６００には、基地局欄４０１と、セル欄４０２と、既知セル情報欄４０３の他に、未知セル情報欄６０１がリストアップされる。
セル測定部２２２は、測定したセル２１０ｂ−３から報知されるセル識別情報（ＥＣＧＩ，ＴＡＣ）を取得して、未知セル情報欄６０１に記録する。未知セル情報欄６０１は、ＰＣＩや、ＥＣＧＩや、ＴＡＣ等のセル識別情報を含む。このように、未知セル検出部２２３は、周辺セルの測定結果に含まれる未知セル情報を基に未知セルを検出する。未知セル情報送信部２２４は、未知セル情報欄６０１に記録された未知セル情報２５２を基地局２１０に報告する。
（ハードウェア構成）
図７は、本実施形態における移動端末２２０のハードウェア構成を示す図である。移動端末２２０は、ＣＰＵ７１０、ＲＯＭ７２０、通信制御部７３０、ＲＡＭ７４０、及びストレージ７５０を備えている。ＣＰＵ７１０は中央処理部であって、様々なプログラムを実行することにより移動端末２２０全体を制御する。ＲＯＭ７２０は、リードオンリメモリであり、ＣＰＵ７１０が最初に実行すべきブートプログラムの他、各種パラメータ等を記憶している。また、ＲＡＭ７４０は、ランダムアクセスメモリである。既知セルリスト６００と、セル情報取得指示７４１と、周辺セル測定結果５００と、周辺セル情報７４２と、未知セル検出結果７４３と、未知セル情報２５２とを有する。一方、ストレージ７５０は、セル測定プログラム７５１と、未知セル検出プログラム７５２とを有する。また、通信制御部７３０は、基地局２１０との通信を制御する。
ＲＡＭ７４０の既知セルリスト６００は、図６に示す既知セルリスト６００であり、基地局２１０から送信された、基地局２１０の周辺セルの既知セルリスト２５１を移動端末２２０において記憶し、修正したリストである。セル情報取得指示７４１は、送信部２１３から送信された、移動端末２２０の周辺に位置する周辺セルのセル情報の取得指示である。周辺セル測定結果５００は、送信部２１３からの指示に基づいて測定した周辺セルの測定結果である（図５参照）。周辺セル情報７４２は、セル測定部２２２において測定した周辺セル取得した周辺セルのセル識別情報である。未知セル検出結果７４３は、未知セル検出部２２３において、周辺セルの中から既知セルリスト６００に対応するセル情報を有しない未知セルを検出した結果である。未知セル情報２５２は、図６に示す未知セル情報欄６０１にリストアップされる情報であって、未知セル検出部２２３により検出された未知セルのセル品質情報を含む未知セル情報である。
次に、ストレージ７５０の各プログラムについて説明する。セル測定プログラム７５１は、受信部２２１において、基地局２１０から発せられたセル情報取得指示を受け付けると、移動端末２２０の周辺に位置する周辺セルの測定を実行する。未知セル検出プログラム７５２は、測定された周辺セルの中から、既知セルリスト６００に対応するセル情報を有しない周辺セルを未知セルとみなして検出するプログラムである。
（基地局と移動端末との処理手順）
図８は、本実施形態における無線通信システム２００における基地局（ｅＮＢ）２１０と、移動端末（ＵＥ）２２０との処理手順を示すシーケンス図である。
まず、ステップＳ８０１において、基地局２１０の送信部２１３は、移動端末２２０に対してＲＲＣ  Ｃｏｎｎｅｃｔｉｏｎ  Ｒｅｃｏｎｆｉｇｕｒａｔｉｏｎメッセージの送信を行なう際に、Ｍｅａｓｕｒｅｍｅｎｔ  Ｃｏｎｆｉｇｕｒａｔｉｏｎに、既知セルリスト２５１と、未知セル情報の取得指示とを設定する。
ステップＳ８０３において、移動端末２２０の未知セル検出部２２３は、基地局２１０から指示された未知セル情報の取得指示が有効か否か確認し、さらに、未知セルを検出したか否かも確認する。基地局２１０から指示された未知セル情報の取得指示が有効か否かの判断は、未知セル情報の取得指示を行なうか否かを表わすＩＥ（Ｉｎｆｏｒｍａｔｉｏｎ  Ｅｌｅｍｅｎｔ）がＭｅａｓｕｒｅｍｅｎｔ  Ｃｏｎｆｉｇｕｒａｔｉｏｎにおいて有効に設定されているか否かにより行なわれる。
ステップＳ８０５において、未知セル検出部２２３は、測定された周辺セルから報知される報知情報より未知セル情報２５２を取得する。ステップＳ８０７において、記憶部（不図示）は、基地局２１０の送信部２１３から送信されて記憶した既知セルリスト６００に、取得した未知セル情報２５２を追加する。この未知セル情報２５２には、ＰＣＩや、ＥＣＧＩや、ＴＡＣなどのセル識別情報が含まれる。
そして、ステップＳ８０９において、Ｍｅａｓｕｒｅｍｅｎｔ  Ｒｅｐｏｒｔを基地局２１０に送信する条件が整った場合には、ステップＳ８１１において、未知セル情報送信部２２４は、基地局２１０に対してＭｅａｓｕｒｅｍｅｎｔ  Ｒｅｐｏｒｔを送信する。このＭｅａｓｕｒｅｍｅｎｔ  Ｒｅｐｏｒｔには、移動端末２２０における周辺セルの測定結果から検出した未知セルの未知セル情報２５２を含むように設定されて、基地局２１０に送信される。ステップＳ８１３において、基地局２１０は、移動端末２２０より受信した未知セル情報２５２を、周辺セル情報記憶部２１２の未知セルリスト２５３に記憶する。
図９は、本実施形態における無線通信システム２００における移動端末（ＵＥ）２２０の処理手順を示すフローチャートである。
ステップＳ９０１において、受信部２２１は、既知セルリスト２５１と未知セル情報２５２の取得指示とを基地局２１０から受信する。ステップＳ９０３において、セル測定部２２２は、移動端末２２０の周辺に位置する周辺セルを測定する。ステップＳ９０５において、セル測定部２２２は、移動端末２２０の周辺セルのセル情報を取得する。ステップＳ９０７において、未知セル検出部２２３は、周辺セルの測定結果５００から未知セルを検出する。未知セルを検出しない場合には、処理を終了しＭｅａｓｕｒｅｍｅｎｔ  Ｒｅｐｏｒｔを送信しない。
一方、未知セルを検出した場合には、ステップＳ９０９において、未知セル検出部２２３は、基地局２１０からのＭｅａｓｕｒｅｍｅｎｔ  Ｃｏｎｆｉｇｕｒａｔｉｏｎの設定で未知セル情報２５２の取得指示が有効か否か確認し、有効であればステップＳ９１１に進む。ステップ９１１において、未知セル検出部２２３は、未知セルから報知される未知セル情報２５２（セル識別情報：ＥＣＧＩ，ＴＡＣ等）を取得する。
ステップＳ９１３において、記憶部（不図示）は、取得した未知セル情報２５２（セル識別情報：ＥＣＧＩ，ＴＡＣ等）を既知セルリスト６００に記憶する。ステップＳ９１５において、Ｍｅａｓｕｒｅｍｅｎｔ  Ｒｅｐｏｒｔの送信条件を満たす場合には、ステップＳ９１７において、未知セル情報送信部２２４は、未知セル情報２５２を基地局２１０のセル情報取得部２１１に送信する。
以上の構成及び動作により、本実施形態によれば、移動端末は、基地局からの指示に基づいて周辺セル情報を検出して、検出した周辺セル情報の中から未知のセルのセル情報のみを選択して基地局に通知することができる。
［第３実施形態］
次に、本発明の第３実施形態に係る無線通信システム３００について、図１０を用いて説明する。図１０は、本実施形態における無線通信システム３００における基地局（ｅＮＢ）１０１０と、移動端末（ＵＥ）１０２０との処理手順を示すシーケンス図である。
本実施形態に係る無線通信システム３００は、上記第２実施形態と比べると、未知セルから報知される未知セルのセル識別情報（ＥＣＧＩ，ＴＡＣ等）を取得するタイミングにおいて異なる。本実施形態においてセル識別情報（ＥＣＧＩ，ＴＡＣ等）を取得するタイミングはＭｅａｓｕｒｅｍｅｎｔ  Ｒｅｐｏｒｔを基地局に送信する時であるのに対し、第２実施形態においては未知セルを検出する時である。
ステップＳ８０１において、基地局１０１０から移動端末１０２０に対してＲＲＣ  Ｃｏｎｎｅｃｔｉｏｎ  Ｒｅｃｏｎｆｉｇｕｒａｔｉｏｎメッセージが送信される点は、第２実施形態の場合と同様である。
ステップＳ１００３において、未知セル検出部は、Ｍｅａｓｕｒｅｍｅｎｔ  Ｒｅｐｏｒｔを基地局１０１０に送信するための条件が整っているか否か確認する。ステップＳ１００５において、未知セル検出部は、基地局１０１０から指示された未知セル情報の取得指示が有効か否か確認し、さらに、未知セル検出部において測定された周辺セルの中から未知セルを検出したか否かについて確認する。
ステップＳ１００７において、未知セル検出部は、測定した周辺セルのうち未知セルについて、未知セルからの報知情報より未知セル情報２５２を取得する。ステップＳ１００９において、記憶部は、基地局１０１０の送信部から送信されて記憶した既知セルリスト６００に、未知セルから取得した未知セル情報を追加する。
ステップＳ１００３において既にＭｅａｓｕｒｅｍｅｎｔ  Ｒｅｐｏｒｔの送信条件が満たされていることを確認しているため、ステップＳ８１１において、未知セル情報送信部は、未知セル情報を設定したＭｅａｓｕｒｅｍｅｎｔ  Ｒｅｐｏｒｔを基地局１０１０に対して送信する。ステップＳ８１３において、基地局１０１０は、移動端末１０２０より受信した未知セル情報を、既知セルリストの未知セルリストに記憶する。
なお、本実施形態においては、Ｍｅａｓｕｒｅｍｅｎｔ  Ｒｅｐｏｒｔの送信の遅延によりハンドオーバが失敗することを回避するために、Ｍｅａｓｕｒｅｍｅｎｔ  Ｒｅｐｏｒｔの報告条件となる閾値を第２実施形態における報告条件の閾値より低めに設定することが望ましい。このことにより、Ｍｅａｓｕｒｅｍｅｎｔ  Ｒｅｐｏｒｔの送信をハンドオーバ直前のタイミングで行なうことを回避することが可能である。なおこの設定は、ＩＥにより行なうことが可能である。
図１１は、本実施形態における移動端末１０２０の処理手順を示すフローチャートである。ステップＳ９０１〜９０５においては、第２実施形態の処理手順と同様である。周辺セルを測定した場合には、ステップＳ１１０１において、未知セル検出部は、Ｍｅａｓｕｒｅｍｅｎｔ  Ｒｅｐｏｒｔの送信条件を満たすか否か確認し、送信条件を満たす場合にはステップＳ９０７に進む。本実施形態においては、Ｍｅａｓｕｒｅｍｅｎｔ  Ｒｅｐｏｒｔの送信条件の確認を、ステップＳ９０７における基地局からの未知セル情報の取得指示の有効性の確認と、ステップＳ９０９における未知セルの検出の前に行なう。これにより、未知セル情報送信部は、未知セル情報を取得した後に、直ちに未知セル情報を基地局に送信することが可能である。
ステップ９０７〜ステップＳ９１３と、ステップＳ９１７とについては、第２実施形態と同様であるので説明を省略する。
以上の構成及び動作により、本実施形態によれば、移動端末のハンドオーバ時に必要となり得るセルについてのみ、セル情報取得の処理を実施することが可能である。
［第４実施形態］
次に本発明の第４実施形態に係る無線通信システム１２００について説明する。本実施形態に係る無線通信システム１２００は、上記第２実施形態と比べると、未知セル情報を取得する呼を制限する点で異なる。
本実施形態に係る無線通信システム１２００は、緊急呼に対してのみ適用されるものとすることが可能である。本実施形態においては、基地局は、未知セル情報を取得する対象となる呼について、呼が確立された移動端末における周辺セル情報の管理又は通知を実施する必要などがあるため、未知セル情報を取得する対象となる呼を制限するものである。なお、呼を制限することについては、常時行なうことが可能であり、また、予め定められたタイミングにしたがって行なうことも可能であり、必要に応じて設定を変更することができる。
以上の構成及び動作により、本実施形態によれば、未知セル情報を取得する対象となる移動端末を限定することにより、移動端末ごとに報告する周辺セル情報の管理又は通知の負担を軽減することが可能となる。
［第５実施形態］
次に、本発明の第５実施形態に係るシステムについて説明する。
本発明の第５実施形態に係るシステムは、
基地局と移動端末とを備えた無線通信システムであって、
前記基地局は、
前記基地局周辺に位置する周辺セルのセル品質情報及びセル識別情報を含むセル情報を取得するセル情報取得手段と、
前記セル情報取得手段により前記セル情報を取得された既知セルの既知セル情報を記憶する周辺セル情報記憶手段と、
前記既知セル情報と前記既知セル情報に対応した前記セル情報を有しない未知セルの前記セル情報の取得指示とを前記移動端末に送信する送信手段と、
を有し、
前記移動端末は、
前記送信手段から送信された前記既知セル情報と前記未知セルの未知セル情報の取得指示とを受信する受信手段と、
前記取得指示に基づいて前記移動端末周辺に位置する前記周辺セルを測定し、前記周辺セルの前記セル情報を取得するセル測定手段と、
取得された前記移動端末周辺に位置する前記周辺セルの前記セル情報と前記受信手段により受信された前記既知セル情報とを比較して、前記既知セル情報に対応した前記セル情報を有しない前記周辺セルを前記未知セルとして検出する未知セル検出手段と、
前記未知セル検出手段により検出された前記未知セルの前記セル情報を前記基地局に送信する未知セル情報送信手段と、
を有することを特徴とする。
［第６実施形態］
次に、本発明の第６実施形態に係る方法について説明する。
本発明の第６実施形態に係る方法に係る方法は、
基地局と移動端末とを備えた無線通信システムの無線通信方法であって、
前記基地局が周辺に位置する周辺セルのセル品質情報及びセル識別情報を含むセル情報を取得するセル情報取得ステップと、
前記基地局が前記セル情報取得ステップにより前記セル情報を取得された既知セルの既知セル情報と前記既知セル情報に対応した前記セル情報を有しない未知セルの前記セル情報の取得指示とを前記移動端末に送信する送信ステップと、
前記移動端末が、前記既知セル情報と前記未知セルの未知セル情報の取得指示とを受信する受信ステップと、
前記移動端末が、前記取得指示に基づいて前記移動端末周辺に位置する前記周辺セルを測定し、前記周辺セルの前記セル情報を取得するセル測定ステップと、
前記移動端末が、前記周辺セルの前記セル情報と前記受信ステップにより受信された前記既知セル情報とを比較して、前記既知セル情報に対応した前記セル情報を有しない前記周辺セルを前記未知セルとして検出する未知セル検出ステップと、
前記移動端末が、検出された前記未知セルの前記セル情報を前記基地局に送信する未知セル情報送信ステップと、
を有することを特徴とする。
［他の実施形態］
以上、本発明の実施形態について詳述したが、それぞれの実施形態に含まれる別々の特徴を如何様に組み合わせたシステム又は装置も、本発明の範疇に含まれる。
また、本発明は、複数の機器から構成されるシステムに適用されてもよいし、単体の装置に適用されてもよい。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ（Ｗｏｒｌｄ  Ｗｉｄｅ  Ｗｅｂ）サーバも、本発明の範疇に含まれる。
以上、実施形態を参照して本願発明を説明したが、本願発明は上記実施形態に限定されものではない。本願発明の構成や詳細には、本願発明のスコープ内で当業者が理解し得る様々な変更をすることができる。
この出願は、２０１１年８月１０日に出願された日本出願特願２０１１−１７４５７２を基礎とする優先権を主張し、その開示の全てをここに取り込む。
［実施形態の他の表現］
上記の実施形態の一部又は全部は、以下の付記のようにも記載されうるが、以下には限られない。
（付記１）
基地局と移動端末とを備えた無線通信システムであって、
前記基地局は、
前記基地局周辺に位置する周辺セルのセル品質情報及びセル識別情報を含むセル情報を取得するセル情報取得手段と、
前記セル情報取得手段により前記セル情報を取得された既知セルの既知セル情報を記憶する周辺セル情報記憶手段と、
前記既知セル情報と前記既知セル情報に対応した前記セル情報を有しない未知セルの前記セル情報の取得指示とを前記移動端末に送信する送信手段と、
を有し、
前記移動端末は、
前記送信手段から送信された前記既知セル情報と前記未知セルの未知セル情報の取得指示とを受信する受信手段と、
前記取得指示に基づいて前記移動端末周辺に位置する前記周辺セルを測定し、前記周辺セルの前記セル情報を取得するセル測定手段と、
取得された前記移動端末周辺に位置する前記周辺セルの前記セル情報と前記受信手段により受信された前記既知セル情報とを比較して、前記既知セル情報に対応した前記セル情報を有しない前記周辺セルを前記未知セルとして検出する未知セル検出手段と、
前記未知セル検出手段により検出された前記未知セルの前記セル情報を前記基地局に送信する未知セル情報送信手段と、
を有することを特徴とする無線通信システム。
（付記２）
前記送信手段は、あらかじめ定めたタイミングで前記未知セル情報の取得を指示することを特徴とする付記１に記載の無線通信システム。
（付記３）
前記移動端末は、さらに、前記未知セル検出手段により取得された前記未知セル情報を記憶する記憶手段を含むことを特徴とする付記１又は２のいずれか１項に記載の無線通信システム。
（付記４）
基地局と移動端末とを備えた無線通信システムの無線通信方法であって、
前記基地局が周辺に位置する周辺セルのセル品質情報及びセル識別情報を含むセル情報を取得するセル情報取得ステップと、
前記基地局が前記セル情報取得ステップにより前記セル情報を取得された既知セルの既知セル情報と前記既知セル情報に対応した前記セル情報を有しない未知セルの前記セル情報の取得指示とを前記移動端末に送信する送信ステップと、
前記移動端末が、前記既知セル情報と前記未知セルの未知セル情報の取得指示とを受信する受信ステップと、
前記移動端末が、前記取得指示に基づいて前記移動端末周辺に位置する前記周辺セルを測定し、前記周辺セルの前記セル情報を取得するセル測定ステップと、
前記移動端末が、前記周辺セルの前記セル情報と前記受信ステップにより受信された前記既知セル情報とを比較して、前記既知セル情報に対応した前記セル情報を有しない前記周辺セルを前記未知セルとして検出する未知セル検出ステップと、
前記移動端末が、検出された前記未知セルの前記セル情報を前記基地局に送信する未知セル情報送信ステップと、
を有することを特徴とする無線通信方法。
（付記５）
基地局周辺に位置する周辺セルのセル品質情報及びセル識別情報を含むセル情報を取得するセル情報取得手段と、
前記セル情報取得手段により前記セル情報を取得された既知セルの既知セル情報を記憶する周辺セル情報記憶手段と、
前記既知セル情報と前記既知セル情報に対応した前記セル情報を有しない未知セルの前記セル情報の取得指示とを前記移動端末に送信する送信手段と、
を有することを特徴とする基地局。
（付記６）
基地局から送信された既知セル情報と未知セルの未知セル情報の取得指示とを受信する受信手段と、
前記取得指示に基づいて移動端末周辺に位置する周辺セルを測定し、前記周辺セルのセル情報を取得するセル測定手段と、
取得された前記移動端末周辺に位置する前記周辺セルの前記セル情報と前記受信手段により受信された前記既知セル情報とを比較して、前記既知セル情報に対応した前記セル情報を有しない前記周辺セルを前記未知セルとして検出する未知セル検出手段と、
前記未知セル検出手段により検出された前記未知セルの前記セル情報を前記基地局に送信する未知セル情報送信手段と、
を有することを特徴とする移動端末。
（付記７）
基地局と移動端末とを備えた無線通信システムにおける基地局制御方法であって、
前記基地局周辺に位置する周辺セルのセル品質情報及びセル識別情報を含むセル情報を取得するセル情報取得ステップと、
前記セル情報取得ステップにより前記セル情報を取得された既知セルの既知セル情報と前記既知セル情報に対応した前記セル情報を有しない未知セルの前記セル情報の取得指示とを前記移動端末に送信する送信ステップと、
を含むことを特徴とする基地局制御方法。
（付記８）
基地局と移動端末とを備えた無線通信システムにおける移動端末制御方法であって、
前記基地局から送信された既知セル情報と未知セルの未知セル情報の取得指示とを受信する受信ステップと、
前記取得指示に基づいて移動端末周辺に位置する周辺セルを測定し、前記周辺セルのセル情報を取得するセル測定ステップと、
取得された前記移動端末周辺に位置する前記周辺セルの前記セル情報と前記受信ステップにより受信された前記既知セル情報とを比較して、前記既知セル情報に対応した前記セル情報を有しない前記周辺セルを前記未知セルとして検出する未知セル検出ステップと、
検出された前記未知セルの前記セル情報を前記基地局に送信する未知セル情報送信ステップと、
を含むことを特徴とする移動端末制御方法。
（付記９）
基地局と移動端末とを備えた無線通信システムにおける基地局の制御プログラムであって、
前記基地局周辺に位置する周辺セルのセル品質情報及びセル識別情報を含むセル情報を取得するセル情報取得ステップと、
前記セル情報取得ステップにより前記セル情報を取得された既知セルの既知セル情報と前記既知セル情報に対応した前記セル情報を有しない未知セルの前記セル情報の取得指示とを前記移動端末に送信する送信ステップと、
をコンピュータに実行させることを特徴とする制御プログラム。
（付記１０）
基地局と移動端末とを備えた無線通信システムにおける移動端末の制御プログラムであって、
前記基地局から送信された既知セル情報と未知セルの未知セル情報の取得指示とを受信する受信ステップと、
前記取得指示に基づいて移動端末周辺に位置する周辺セルを測定し、前記周辺セルのセル情報を取得するセル測定ステップと、
取得された前記移動端末周辺に位置する前記周辺セルの前記セル情報と前記受信ステップにより受信された前記既知セル情報とを比較して、前記既知セル情報に対応した前記セル情報を有しない前記周辺セルを前記未知セルとして検出する未知セル検出ステップと、
検出された前記未知セルの前記セル情報を前記基地局に送信する未知セル情報送信ステップと、
をコンピュータに実行させることを特徴とする制御プログラム。
【図１】
2013021833.tif 000003
【図２】
2013021833.tif 000004
【図３】
2013021833.tif 000005
【図４】
2013021833.tif 000006
【図５】
2013021833.tif 000007
【図６】
2013021833.tif 000008
【図７】
2013021833.tif 000009
【図８】
2013021833.tif 000010
【図９】
2013021833.tif 000011
【図１０】
2013021833.tif 000012
【図１１】
2013021833.tif 000013
【国際調査報告】
2013021833.tif 000014
2013021833.tif 000015